(57)【要約】【課題】汚水処理施設おける流量調整槽から処理槽へ廃水を定量移送するについて、コスト高の要因となる計量槽の介装を不要とし、流量調整槽内の無段階な水位変動にも対応した高精度な定流量運転が可能で、且つ、配管内における異物の停留や堆積をも防止し得る、定量性ポンプの運転制御方法を提供する。【解決手段】ポンプ１の回転速度を制御するインバータ２と吐出量を実測する電磁流量計３を併用し、電磁流量計３からの信号を演算装置の組み込まれたインバータ２または外部制御装置４にフィードバックし、前記インバータ２または外部制御装置４に予め設定した吐出量一定となるよう回転速度の自動調整を行わせる。また、ポンプ１の始動直後もしくは停止直前または始動直後および停止直前の予め設定された一定時間を限り回転速度を高めたクリーニング運転を行わせる。【選択図】        図３
2005009329.tif 000002
【特許請求の範囲】
【請求項１】
ポンプ回転速度を制御するインバータと吐出量を実測する電磁流量計とを併用し、電磁流量計からの信号を演算装置の組み込まれたインバータまたは外部制御装置にフィードバックし、前記インバータまたは外部制御装置に予め設定した吐出量一定となるよう回転速度の自動調整を行わせることを特徴とする、定量性ポンプの運転制御方法。
【請求項２】
ポンプ回転速度を制御するインバータと吐出量を実測する電磁流量計とを併用し、電磁流量計からの信号を演算装置の組み込まれたインバータまたは外部制御装置にフィードバックし、前記インバータまたは外部制御装置に予め設定した吐出量一定となるよう回転速度の自動調整を行わせ、且つ、ポンプ始動直後もしくは停止直前の予め設定された一定時間を限り回転速度を高めたクリーニング運転を行わせ、またはポンプ始動直後および停止直前の予め設定された一定時間を限り回転速度を高めたクリーニング運転を行わせることを特徴とする、定量性ポンプの運転制御方法。
【発明の詳細な説明】
【０００１】
【発明の属する技術分野】
本発明は主として、汚水処理施設における流量調整槽から処理槽へ廃水を定量移送するために使用される、定量性ポンプの運転制御方法に関するものである。
【０００２】
周知のように、汚水処理施設において流量調整槽から処理槽へ一定流量で送水することは、処理槽の負荷を一定に保ち且つ安定した処理を行う上で不可欠の要件である。しかし流量調整槽の水位は原水の流入状況により常に変動し、その変動に伴いポンプ送水量も大きく変動するため処理槽へ定量的に送水することは困難である。
【０００３】
【従来の技術】
上述の問題を解消する目的で、流量調整槽と処理槽との間に計量槽と呼ばれる槽を介在させ、過大な流量は流量調整槽へ返送させるという手法は公知である（例えば、特許文献１参照）。また、別の手法として液面検出器と回転速度制御装置とをポンプに一体化させ、水位に応じてポンプ回転速度を変化させることにより、揚程の変化に関わらず略一定水量の送水を行わせようとの提案もある（例えば、特許文献２参照）。
【０００４】
【特許文献１】
特開平７−２４１５７９号公報  （０００４）
【特許文献２】
特開平８−１０９８９４号公報  （０００９）
【０００５】
【発明が解決しようとする課題】
特許文献１の手法では、ポンプの水量変動には対応できず、且つ、計量槽設置による設備コストの増大が避けられないという欠点がある。また、特許文献２の手法では、液面検出器による段階的な水位変動には対応し得るが、無段階な水位変動に対応した高精度な定量運転を行わせることができず、且つ、一定で送ろうとする水量が非常に少ない場合には配管内の流速が遅くなり、汚水中に混入している異物が排出されず配管内に滞留、堆積して詰りや悪臭の原因となるため、或る一定の流速を保つよう配管口径により規定した吐出流量以下では運転しないよう制限を設けなければならない。
【０００６】
本発明の目的は、汚水処理施設おける流量調整槽から処理槽へ廃水を定量移送するについて、コスト高の要因となる計量槽の介装を不要とし、流量調整槽内の無段階な水位変動にも対応した高精度な定流量運転が可能で、且つ、配管内における異物の停留や堆積をも防止し得る、定量性ポンプの運転制御方法を提供することにある。
【０００７】
【問題を解決するための手段】
本発明に係る請求項１記載の定量性ポンプの運転制御方法では、ポンプ回転速度を制御するインバータと吐出量を実測する電磁流量計とを併用し、電磁流量計からの信号を演算装置の組み込まれたインバータまたは外部制御装置にフィードバックし、前記インバータまたは外部制御装置に予め設定した吐出量一定となるよう回転速度の自動調整を行わせる。
【０００８】
本発明に係る請求項２記載の定量性ポンプの運転制御方法では、ポンプ回転速度を制御するインバータと吐出量を実測する電磁流量計とを併用し、電磁流量計からの信号を演算装置の組み込まれたインバータまたは外部制御装置にフィードバックし、前記インバータまたは外部制御装置に予め設定した吐出量一定となるよう回転速度の自動調整を行わせ、且つ、ポンプ始動直後もしくは停止直前の予め設定された一定時間を限り回転速度を高めたクリーニング運転を行わせ、またはポンプ始動直後および停止直前の予め設定された一定時間を限り回転速度を高めたクリーニング運転を行わせる。
【０００９】
【発明の実施の態様】
以下本発明の実施の態様を例示した図１ないし図５により説明をする。
【００１０】
本発明定量性ポンプの運転制御方法により、汚水処理施設おける流量調整槽から処理槽へ廃水を定量移送するについては、ポンプ１の回転速度を制御するインバータ２と、吐出量を実測する電磁流量計３とが併用される。そして電磁流量計３からのアナログ信号を図１ないし図３に例示するような態様で、演算装置の組み込まれたインバータ２または外部制御装置４にフィードバックし、前記インバータ２または外部制御装置４に予め設定した吐出量一定となるようポンプ１の回転速度の自動調整を行わせることにより、流量調整槽内の無段階な水位変動にも対応した高精度な定流量運転が可能となる。流量調整槽と処理槽との間に従来のような計量槽の介装が不要となることは勿論である。
【００１１】
このように回転速度を調整して定量運転を行わせても、目標とする流量が小さ過ぎる場合は配管内流速が遅くなり、汚水中の混入異物が排出されるず配管内に滞留、堆積することになる。そこでポンプ１の始動直後もしくは停止直前の予め設定された一定時間を限り回転速度を高めたクリーニング運転を行わせ、または図４および図５に示すようポンプ１の始動直後および停止直前の予め設定された一定時間を限り回転速度を高めたクリーニング運転を行わせることにより、異物の滞留、堆積が防止されることになる。
【００１２】
【発明の効果】
本発明定量性ポンプの運転制御方法によれば、汚水処理施設おける流量調整槽から処理槽へ廃水を定量移送するについて、コスト高の要因となる計量槽の介装を不要とし、流量調整槽内の無段階な水位変動にも対応した高精度な定流量運転が可能で、且つ、配管内における異物の停留や堆積をも防止し得るという利点がある。
【図面の簡単な説明】
【図１】本発明におけるシステムブロック図であって、吐出量一定制御機能およびクリーニング運転機能がインバータ内の演算装置に組み込まれている事例を示す。
【図２】本発明におけるシステムブロック図であって、吐出量一定制御機能は外部制御装置にもたせ、クリーニング運転機能はインバータ内の演算装置に組み込まれている事例を示す。
【図３】本発明におけるシステムブロック図であって、吐出量一定制御機能およびクリーニング運転機能を外部制御装置にもたせた事例を示す。
【図４】本発明におけるポンプの運転フロー図である。
【図５】本発明におけるポンプ運転時の回転速度特性を示す線図である。
【符号の説明】
１      ポンプ
２      インバータ
３      電磁流量計
４      外部制御装置
【図１】
2005009329.tif 000003
【図２】
2005009329.tif 000004
【図３】
2005009329.tif 000005
【図４】
2005009329.tif 000006
【図５】
2005009329.tif 000007